【事件の表示】
　特願２０００−５０３５２９「データによって記述される複数の効果を処理する再生方法及び効果処理システム」拒絶査定不服審判事件〔平成１１年　１月２８日国際公開、ＷＯ９９／０４３９６、平成１３年　８月１４日国内公表、特表２００１−５１１５７６〕について、次のとおり審決する。
【結　論】
　本件審判の請求は、成り立たない。
【理　由】
第１　手続の経緯
　
　本願は、平成１０年７月８日（パリ条約による優先権主張外国庁受理 平成９年７月１４日　米国（ＵＳ））を国際出願日とする出願であって、平成１８年１月１７日付けで通知した拒絶理由に対して同年７月２４日付けで手続補正がなされたが、同年８月１７日付けで拒絶査定がなされ、これに対し、同年１１月２０日に拒絶査定不服審判が請求されるとともに、同年１２月２０日付けで明細書について手続補正がなされたものである。
　その後、平成２１年１月１３日付けで前置報告書の内容に基づく審尋がなされ、同年４月１６日付けで回答書が提出され、さらに、同年１１月２７日付けで通知した拒絶理由に対して平成２２年５月３１日付けで特許請求の範囲について手続補正がなされたものである。
　
第２　本願発明について
　
１．本願発明
　本願請求項１ないし２１に係る発明は、平成２２年５月３１日付けで手続補正された明細書の、特許請求の範囲の請求項１ないし２１に記載されたとおりのものであると認める。  
　
　そのうち、請求項１９に係る発明（以下、「本願発明」という。）は次のとおりである。　
　「第１の部分及び第２の部分を記述するデータによってそれぞれ記述される複数の効果を処理する効果処理システムに用いられ、上記データによって記述される効果を略瞬時に再生する分散型データ記憶装置において、上記効果の第１の部分を記述するデータを記憶するとともに、該データが第１のアクセス時間及び読出速度でアクセスされて読み出される第１の記憶手段と、上記効果の第２の部分を記述するデータを記憶するとともに、該データが、上記第１のアクセス時間及び読出速度とは異なる第２のアクセス時間及び読出速度でアクセスされて読み出される第２の記憶手段と、上記効果の出力が要求されたときに、上記第１の記憶手段から該効果の第１の部分を記述するデータの出力を開始する手段と、上記効果の第１の部分を記述するデータの出力が完了する前に、上記第２の記憶手段にアクセスして、上記効果の第２の部分を記述するデータを読み出し、第３の記憶手段へ転送することを開始する手段と、上記効果の第１の部分を記述するデータの出力が完了すると同時に、上記第２の部分を記述するデータの出力を開始する手段とを有し、上記効果の第１の部分の時間的な長さは、上記第２の記憶手段にアクセスして該効果の第２の部分を記述するデータを読み出す第２のアクセス時間及び読出速度に依存し、該第２の記憶手段にアクセスして該効果の第２の部分を記述するデータを読み出す時間以上であることを特徴とする効果処理システム。」
　
　
２．引用例 
　
（１）引用例１ 
　当審の拒絶の理由に引用された、本願の優先権主張の日の前に頒布された刊行物である特開平０９−１８２０２８号公報（公開日　平成９年７月１１日）（以下、「引用例１」という）には、図面とともに以下の技術事項が記載されている（以下、摘記事項の下線は当審で付した。）。
　
（ａ）「【０００１】
【発明の属する技術分野】本発明は、概して、改善されたデータ処理システムに関し、特に、ディジタル・ビデオ・データを転送するための方法および装置に関する。さらに詳細には、本発明はディジタル・ビデオ・データの転送に付随するスタートアップの潜伏時間を減らすための方法および装置に関する。」
　
（ｂ）「【００１０】
【課題を解決するための手段】
本発明は第１の記憶装置（例えば、磁気テープ）上にあるビデオをユーザに対して転送するか、あるいは再生するための方法および装置を提供する。第１の記憶装置には、ビデオをユーザに対して転送し始めるまでに掛かる遅延時間がある。そのビデオに対するリクエストが受信される前に、そのビデオの一部分、すなわち、セグメントが第２の記憶装置（例えば、磁気ディスク）にあらかじめロードされていて、その第２の記憶装置には、ユーザに対してそのビデオを転送し始めるまでの遅延時間があるが、それは第１の記憶装置に付随する遅延時間より短い。そのビデオに対するリクエストが受信された時、第２の記憶装置の中にあるそのビデオの部分がユーザへ転送され、一方、同時に、第１の記憶装置上にあるそのビデオの残りの部分が第２の記憶装置に対して転送され、さらにユーザへ転送される。これによって、第１の記憶装置に関連する遅延が最小化される。
　
（ｃ）「【００２０】‥‥‥‥（略）‥‥‥‥。テープ・ライブラリ６０の中にある映画は、ディスク・サブシステム６２へ転送されてから、メモリ５６の中に構成されているメモリ・バッファへ転送される。メモリ５６から、その映画はネットワーク・インターフェース６４へ送られ、通信ネットワーク上でユーザに対して配送、すなわち、転送される。さらに、
各映画の最初のセグメントは、メモリ５６の中にあらかじめロードしておくことができる。その場合、各映画のあらかじめロードされるセグメントの時間の長さはユーザに対してその映画の転送を開始できるように、テープ・ライブラリ６０またはディスク・サブシステム６２のいずれかからメモリ５６へその映画を転送するのにかかわる潜伏時間、すなわち、遅延時間に等しいか、それより長い。このタイプのプリロードは通信ネットワーク上でユーザに対して映画を再生する際の遅延時間を最小にするために行なわれる。
　
（ｄ）「【００２４】次に図３を参照すると、ビデオ・サーバの中のビデオ・データの流れを示している図が本発明に従って示されている。テープ・ライブラリ３００および
ディスク・サブシステム３０２の中にある各映画の最初のセグメントは、その映画の再生のためのリクエストを受信する前にメモリ３０３の中にあらかじめロードされている。１つの映画に対するリクエストが受信された時、メモリ３０４の中にあるビデオの最初のセグメントがビデオ・サーバから直ちに通信ネットワーク上へ配送される。
　
（ｅ）「【００２８】通常、従来方式のビデオ・サーバは最もポピュラーな映画の完全なバージョンをディスク上に格納しておき、あまりポピュラーでない映画の完全なバージョンをテープ上に格納する。本発明によると、テープ上にしかない映画を再生のために選択した時、その映画の一部またはすべてをテープ・ライブラリ３００からディスク・サブシステム３０２またはメモリ３０４へ転送している間に発生する潜伏時間がなくなる。というのは、その選択された映画の１つのセグメントがメモリ３０４の中にあらかじめロードされているからである。
【００２９】ここで図４を参照すると、ビデオ・サーバに対して映画をプリロードするためのプロセスが本発明に従って示されている。このプロセスはビデオ・サーバの内部にある各映画を識別することから開始される（ステップ４００）。次にそのプロセスは各識別された映画の１つのセグメントをメモリの中にプリロードし（ステップ４０２）、その後、そのプロセスは終了する。
【００３０】次に図５を見ると、メモリの中にロードされる映画のセグメントのサイズを決定するためのプロセスのフローチャートが本発明に従って示されている。そのプロセスはその映画が一部または全体としてビデオ・サーバの中にあるかどうかを知ることから開始される（ステップ５００）。
その映画がディスク・サブシステム上に見つかった場合、そのプロセスはその映画の１つのセグメントをディスク・サブシステムからメモリへロードする。そのセグメントの長さは、その映画をディスク・サブシステムからメモリへ転送を開始するまでに掛かる時間の量に等しいか、あるいはそれより長い（ステップ５０２）。
【００３１】
次に、このプロセスはメモリの中にプリロードされていない追加の映画があるかどうかを決定する（ステップ５０４）。追加の映画が存在した場合、プロセスはステップ５００へ戻る。さもなければ、そのプロセスは終了する。
　
（ｆ）「【００３４】
【効果】
本発明は、磁気テープ、磁気ディスク、および半導体メモリなどの各種の記憶媒体を含んでいる記憶階層の最高速の層の中に格納されていないビデオにアクセスすることに通常は付随するスタートアップの潜伏時間、すなわち、遅延時間をなくすか、最小化する。本発明の方法および装置は、そのビデオが存在している記憶装置よりスタートアップ遅延時間が少ない記憶装置上にビデオの一部分をプリロードすることによって、スタートアップの潜伏時間を最小にするか、あるいは消去する。ビデオの最初の部分の長さは、そのビデオ全体が存在している記憶装置に付随する遅延時間に等しいか、それよりも長い。従って本発明はビデオが第１の記憶装置から第２の記憶装置へ転送されている間に、第１の記憶装置（より高速の記憶装置）からビデオの初期部分の転送を開始する。
　
　上記引用例１に記載された事項及び図面の記載を総合勘案すると、引用例１には、
　
「ビデオを記憶するとともに、ビデオをユーザに対して転送し始めるまでにかかる遅延時間がある、第１の記憶装置と、
そのビデオに対するリクエストが受信される前に、ビデオの最初の部分（セグメント）を記憶するとともに、ユーザに対してそのビデオを転送し始めるまでに遅延時間があるが、それは第１の記憶装置に付随する遅延時間よりも短い第２の記憶装置を有し、
ビデオに対するリクエストがあったときに、第２の記憶装置の中にある、ビデオの最初の部分（セグメント）をユーザに転送し、同時に、第１の記憶装置にあるビデオの残りの部分の転送が第２の記憶装置に転送され、さらにユーザへ転送される、データ処理システムであって、
ビデオの最初の部分（セグメント）の長さは、ビデオ全体が存在している第１の記憶装置に付随する遅延時間に等しいか、それよりも長いものであるデータ処理システム。」
が記載されている（以下、「引用発明」という。）。
　
（２）引用例２ 
　当審の拒絶の理由に引用された、本願の優先権主張の日の前に頒布された刊行物である特開平０４−１０８２７６号公報（以下、「引用例２」という）には、図面とともに以下の技術事項が記載されている。
　
（ｇ）「〔産業上の利用分野〕オーディオもしくは映像のデジタル信号を調整、混合、合成、又は切替するための操作装置に関し、特に効果音又は背景画などを所望のタイミングで取出せるようにした操作装置に関する。」（１頁右下欄１〜５行）
　
（ｈ）「例えば、オーディオミキシングコンソールにおいて、効果音や背景音楽をテープレコーダ等に記録しておいて再生しながら、収録中の番組の音に重ね合わせることが行なわれている。」（２頁左上欄４〜７行）
　
（ｉ）「ハードディスク装置や光磁気ディスク装置を用いる場合、オーディオミキシングコンソールなどの操作装置が大がかりとなり高価となるだけでなく、所望のタイミングで所望の効果音（又は背景画）をとりだすためのタイミング調整手段も複雑となっていた。〔発明が解決しようとする課題〕本発明においては、従来技術で述べた諸問題を解決して、簡易な構成で効果音（又は背景画）を所望のタイミングで容易にとり出して、混合、合成、切替などが出来るデジタル信号操作装置を得ることを課題とする。」（２頁左上欄１６行〜右上欄８行）
　
（ｊ）「本発明においては、前記半導体メモリ装置を用いたことにより回転機構などの可動部が無く、サーチ時間が短かいので、主信号に対する前記副信号のタイミングを所望の時間に合わせた混合、はめ込みなどの操作をリアルタイムに行なうことが出来る。」（２頁右下欄６〜１１行）
　
（３）引用例３
　当審の拒絶の理由に引用された、本願の優先権主張の日の前に頒布された刊行物である特開平０８−０５０７５６号公報（以下、「引用例３」という）には、図面とともに以下の技術事項が記載されている（以下、摘記事項の下線は当審で付した。）。
　
（ｋ）「【００３２】以上の処理を繰り返していき、全てのディスクの冒頭の音声データについてのＲＡＭ２５(x) を記憶を終了したら、つまり変数ｘ＞ｎとなったら、処理を終了する(F105)。この処理により、
ＲＡＭ２５1 〜２５n には、それぞれディスクＤ1 〜Ｄn の冒頭１０秒間分の音声データが記憶されたことになる。」
　
（ｌ）「【００３６】このようなＲＡＭ２５1 〜２５n のデータを用いて、再生されるディスクが交換された際はシステムコントローラ１１は図４の処理を実行する。ステップF300は、或るディスクに対する再生処理を示している。
【００３７】或るディスクが再生されている時点で、操作入力部１９によりユーザーが他のディスクの再生操作を行なった場合や、連続再生、プログラム再生、シャッフル再生などのモードで或るディスクの再生が終了して、次のディスクの再生に移るような場合、処理はステップF301からF302に進む。そして、変数ｘに、次のディスクのディスクナンバをセットする。ユーザーが他のディスクの再生操作を行なった場合では、次のディスクのディスクナンバとは、ユーザーが再生指定操作したディスクナンバである。連続再生、プログラム再生、シャッフル再生では、それぞれそのモードの動作で指定される次のディスクナンバとなる。
【００３８】そして、ＲＡＭ２５(x) の音声データの読出を開始する(F302)。例えばこれから再生するディスクがディスクＤ2 であったら、
ＲＡＭ２５(2) に記憶されているディスクＤ2 の冒頭部分の音声データを0.3Mbit/sec のレートで読み出す。
【００３９】この間に、システムコントローラ１１はチャンジャーコントローラ２４に指令を出し、それまでローディングされていたディスクを収納部２２に戻し、これから再生すべきディスクＤ2 をローディングさせる(F304)。
【００４０】そして、ローディングされたディスクＤ2 に対して光学ヘッド３及びスピンドルモータ２の立ち上げ動作が実行される(F305)。即ち、システムコントローラ１１は、光学ヘッド３のレーザ出力をオンとした後サーボ回路９にフォーカスサーチの実行を指示し、２軸機構４がドライブされてフォーカス引き込み領域に達した後及びフォーカスサーボループを閉じ、フォーカスサーボをかける。また、スピンドルモータ２の回転駆動を指示し、回転速度を所定速度にまで制御する。さらにトラッキングサーボをオンとする。
【００４１】以上の立ち上げ処理が完了することによって、ディスクＤからデータの読み取りが可能になる。そこでステップF306で、
ディスクＤ2 から、光学ヘッド３により音声データを読み出し、これをバッファＲＡＭ１３に記憶していく。即ち、1.41Mbit/secのレートで、光学ヘッド３によって抽出された音声データがデコーダ部８によってＣＩＲＣデコード、ＥＦＭ復調がされ、バッファＲＡＭ１３に記憶されていく。ただし、ここでは、光学ヘッドは読み出しをＲＡＭ２５2 に記憶された冒頭部分に続くデータについて行なっていく。即ち１０秒目から音声データの再生を行なっていく。
【００４２】
ここで、この間ＲＡＭ２５2 からの読み出しが継続されているため、この終了を待つ(F307)。つまり、１０秒間のデータの読み出し終了をまつ。そして、終了したら、引き続きバッファＲＡＭ１３に蓄積されている続きの音声データの0.3Mbit/sec のレートで読み出しを開始する(F308)。この音声データは音声圧縮デコーダ１４でデコードされ、Ｄ／Ａ変換器１５を介して端子１６から出力される。以降通常の再生動作となる(F300)。
　
（ｍ）「【００５１】また、ディスク交換時の処理として説明したが、
ディスク再生開始時にも同様に実行してもよい。
【００５２】なお、上記実施例ではミニディスクに対応するチャンジャー型再生装置において本発明を採用した例をあげたが、ＣＤ等の光ディスクに対応したチェンジャー再生装置であっても本発明を採用できる。さらにＤＡＴ等のテープ状記録媒体に対応したチェンジャーシステム及び再生装置でも同様に適用できる。また、場合によってはチェンジャー構成を持たず、記録媒体を１つしか装填できないプレーヤで採用することもできる。」
　
３．対比
　
　本願発明を、引用発明と対比する。
　
（ア）引用発明の「第１の記憶装置」、「第２の記憶装置」、「ビデオの最初の部分（セグメント）」、「ビデオの残りの部分」は、それぞれ、本願発明の「第２の記憶手段」、「第１の記憶手段」、「第１の部分を記述するデータ」、「第２の部分を記述するデータ」に相当する。
　
（イ）引用発明の、第１及び第２の記憶装置に記憶する「ビデオ」は、本願発明の第２及び第１の記憶手段に記憶する「効果」と、「（所定のコンテンツ）」である点において共通する。
　
（ウ）引用発明の「データ処理システム」は、処理の対象を「ビデオ」とするものであり、所定のコンテンツを処理する点で本願発明と共通するから、本願発明の「（所定のコンテンツ）を処理する処理システム」に相当する。
　
（エ）引用発明は、記憶するコンテンツが「ビデオ」であり、また、引用例１の発明の実施の形態には、ディスクに記憶された各映画の最初の部分（セグメント）をメモリにプリロードする点が記載されていることから（【００２０】後半、【００２４】、【００３０】後半、ないし【００３１】前半、図面第５図参照）、引用発明も、複数のコンテンツの最初の部分（セグメント）をメモリにプリロードし得るものであって、「複数の（コンテンツ）」を扱う点において、本願発明と共通する。
　
（オ）引用発明の「ビデオに対するリクエストがあったときに、第２の記憶装置の中にある、ビデオの最初の部分（セグメント）をユーザに転送」することは、本願発明の「上記（所定のコンテンツ）の出力が要求されたときに、上記第１の記憶手段から該効果の第１の部分を記述するデータの出力を開始する手段」を有することに相当する。
　
（カ）引用例１には、ユーザへのビデオの転送あるいは再生において、「第１の記憶装置に関連する遅延が最小化される」（【００１０】）、及び、「ビデオが存在している記憶装置よりスタートアップ遅延時間が少ない記憶装置上にビデオの一部分をプリロードすることによって、スタートアップの潜伏時間を最小にするか、あるいは消去する。」（【００３４】）ことが記載されており、ビデオが存在している第１の記憶装置が有するスタートアップ遅延時間を最小化あるは消去するものであるから、引用発明も、本願発明のような「データによって記述される所定のコンテンツを略瞬時に再生する」「データ記憶装置」を有するものである。
　
（キ）一般に、記憶手段において、記憶データを読み出し始めるまでにかかる遅延時間は、該記憶手段へのアクセス時間及び読出速度による時間であるから、引用発明の、「ビデオをユーザに対して転送し始めるまでにかかる遅延時間がある、第１の記憶装置」、「ユーザに対してそのビデオを転送し始めるまでに遅延時間があるが、それは第１の記憶装置に付随する遅延時間よりも短い第２の記憶装置」、「ビデオの最初の部分（セグメント）の長さは、ビデオ全体が存在している第１の記憶装置に付随する遅延時間に等しいか、それよりも長いもの」は、それぞれ、本願発明の、「データが第１のアクセス時間及び読出速度でアクセスされて読み出される第１の記憶手段」、「データが、上記第１のアクセス時間及び読出速度とは異なる第２のアクセス時間及び読出速度でアクセスされて読み出される第２の記憶手段」、「第１の部分の時間的長さは、該第２の記憶手段にアクセスして第２の部分を記述するデータを読み出す該第２のアクセス時間及び読み出し速度に依存し、該第２の記憶手段にアクセスして第２の部分を記述するデータを読み出す時間以上」であること、に相当する。
　
（ク）引用発明において、「第２の記憶装置の中にある、ビデオの最初の部分（セグメント）をユーザに転送し、同時に、第１の記憶装置にあるビデオの残りの部分の転送が第２の記憶装置に転送され」ることは、ビデオを最初の部分（セグメント）をユーザに転送を開始したときから、すなわち、ユーザへの転送が完了する前から、第１の記憶装置にあるビデオの残りの部分の転送がなされることを意味するものであるから、本願発明の、「第１の部分を記述するデータの出力が完了する前に、上記第２の記憶手段にアクセスして、第２の部分を記述するデータを読み出し、記憶手段へ転送することを開始する手段」を有するものである。
　
　すると、本願発明と引用発明とは、次の＜一致点＞及び＜相違点＞を有する。
　
「 第１の部分及び第２の部分を記述するデータによってそれぞれ記述される複数の（所定のコンテンツ）を処理する処理システムに用いられ、上記データによって記述される（所定のコンテンツ）を略瞬時に再生するデータ記憶装置において、上記（所定のコンテンツ）の第１の部分を記述するデータを記憶するとともに、該データが第１のアクセス時間及び読出速度でアクセスされて読み出される第１の記憶手段と、上記（所定のコンテンツ）の第２の部分を記述するデータを記憶するとともに、該データが、上記第１のアクセス時間及び読出速度とは異なる第２のアクセス時間及び読出速度でアクセスされて読み出される第２の記憶手段と、上記（所定のコンテンツ）の出力が要求されたときに、上記第１の記憶手段から該（所定のコンテンツ）の第１の部分を記述するデータの出力を開始する手段と、上記（所定のコンテンツ）の第１の部分を記述するデータの出力が完了する前に、上記第２の記憶手段にアクセスして、上記（所定のコンテンツ）の第２の部分を記述するデータを読み出し、記憶手段へ転送することを開始する手段と、上記（所定のコンテンツ）の第１の部分の時間的な長さは、上記第２の記憶手段にアクセスして該（所定のコンテンツ）の第２の部分を記述するデータを読み出す第２のアクセス時間及び読出速度に依存し、該第２の記憶手段にアクセスして該（所定のコンテンツ）の第２の部分を記述するデータを読み出す時間以上であることを特徴とする処理システム。」
　
＜相違点＞
　
（相違点１）
　本願発明が、記憶されているコンテンツを「効果」としているのに対し、引用発明は、「ビデオ」としている点。
　
（相違点２）
　本願発明が、「分散型データ記憶装置」であるのに対し、引用発明は、「分散型データ記憶装置」について特定がない点。
　
（相違点３）
　本願発明は、第２の部分を記述するデータを、第１の部分を記述するデータを記憶する記憶手段とは異なる「第３の記憶手段」へ転送するのに対し、引用発明は、ビデオの残りの部分（「第２の部分を記述するデータ」に相当）を、ビデオの最初の部分（「第１の部分を記述するデータ」に相当）が記憶された記憶装置と同じ「記憶装置」に転送する点。
　
（相違点４）
　本願発明は、（所定のコンテンツ）の第１の部分を記述するデータの出力が完了すると同時に、上記第２の部分を記述するデータの出力を開始する手段を有しているのに対し、引用発明は、この点について特定がない点。
　
４．判断
　
（１）相違点１について
　
　引用発明におけるビデオも、音響等を含むことは明らかであって、一方、引用例２には、効果音を再生しながら合成する装置において、記憶された効果音を取り出す際に、記憶装置に記憶された効果音のサーチ時間を短くして、所望のタイミングで効果音を取り出すことが望ましい点が記載されており、効果音を速やかに再生することを意味するものであるから、本願発明のように、効果音を速やかに再生、すなわち略瞬時に再生するために、引用例１記載の、第１の記憶装置が有するスタートアップ遅延時間を最小化あるいは消去する（上記３．（カ）参照）、すなわち、略瞬時の再生が可能な記憶装置に効果音を記憶し効果を処理するシステムとすることは当業者が容易に想到し得る事項である。
　
（２）相違点２について
　引用例１には、第１の記憶装置及び第２の記憶装置を用いて、第１の記憶装置に記憶されたビデオデータを分割し、分割されたデータ部分をバスを介して第２の記憶装置に記憶する点が記載されており（図２、【００２２】記載のバス５２参照）、本願発明のように「分散型データ記憶装置」とすることに格別の困難性を有しない。
　
（３）相違点３について
　引用例３には、ディスクの冒頭部分の音声データをＲＡＭ２５に記憶し、冒頭部分に続くデータについてはＲＡＭ１３に記憶する点が記載されており、冒頭部分に続くデータは、本願発明の第２の部分を記述するデータに相当するから、引用発明に引用例３記載の前記記憶に関する技術を適用して、本願発明のように、第２の部分を記述するデータを、第１の部分を記述するデータを記憶する記憶手段と異なる「第３の記憶手段」に記憶することは当業者が適宜なし得る事項である。
　
（４）相違点４について
　引用発明の、「ビデオの最初の部分（セグメント）」及び「ビデオの残りの部分」は、一の連続したビデオデータを分割したものであり、分割することによってスタートアップの潜伏時間を最小にするかあるいは消去するものであるから（上記３．（カ）参照）、両者のデータを出力する際には、もとの一の連続したデータとして両者を連続して出力するものと解するのが相当である。よって、引用発明においても、「第１の部分を記述するデータの出力が完了すると同時に、第２の部分を記述するデータの出力を開始する手段」を設けることに格別の困難性を有しない。
　
　そして、上記各相違点により本願発明が奏する作用効果についても、各引用例に記載された発明から当業者が当然予測し得るものであるから、上記各相違点は格別なものではなく、本願発明は、各引用例に記載された発明に基づいて当業者が容易に発明をすることができたものである。
　
 ５．むすび
　
　以上のとおり、本願の請求項１９に係る発明は、特許法第２９条第２項の規定により特許を受けることができないものであるから、その余の請求項に論及するまでもなく、本願は拒絶すべきものである。
　
　よって、結論のとおり審決する。